(57)【要約】【課題】縦材の視認性を向上させ、外壁面の縦方向のラインを強調することができ、製造もしやすい縦材を提供することを目的とする。【解決手段】建物１の外壁面２に沿って上下方向に延在する長尺な縦材１０Ａ〜１０Ｅが、前方に突出し、互いに間隔をあけて配置された複数のリブ１２１〜１２５（２２１〜２２５）と、複数のリブ１２１〜１２５（２２１〜２２５）間にそれぞれ形成されるとともに前方に向かって開口する開口部１３１ａ〜１３４ａ（２３１ａ〜２３４ａ）を有し、複数のリブ１２１〜１２５（２２１〜２２５）の影が映し出される複数の溝１３１〜１３４と、を備える。【選択図】図８
2019183474.tif 000002
【特許請求の範囲】
【請求項１】
建物の外壁面に沿って上下方向に延在する長尺な縦材において、
前方に突出し、互いに間隔をあけて配置された複数のリブと、
前記複数のリブ間にそれぞれ形成されるとともに前方に向かって開口する開口部を有し、前記複数のリブの影が映し出される複数の溝と、を備えることを特徴とする縦材。
【請求項２】
請求項１に記載の縦材において、
前記外壁面より前方に位置する正面壁部、前記正面壁部の幅方向両側端部から前記外壁面側に設けられる左右の側壁部、を有する本体部を備えており、
前記複数のリブは、前記本体部における前記正面壁部に一体形成されていることを特徴とする縦材。
【請求項３】
請求項２に記載の縦材において、
前記本体部は、前記外壁面と前記正面壁部との間に位置する背面壁部をさらに有し、断面視において矩形筒状に形成されていることを特徴とする縦材。
【請求項４】
請求項２又は３に記載の縦材において、
前記本体部における各壁部の厚み寸法と、前記複数のリブにおける長さ方向及び突出方向に直交する厚み方向の寸法との寸法比が、略１：１になるように設定されていることを特徴とする縦材。
【請求項５】
請求項１〜４のいずれか一項に記載の縦材において、
前記複数のリブの突出寸法は、前記複数の溝における前記開口部の開口幅寸法よりも長く設定されていることを特徴とする縦材。
【請求項６】
請求項１〜５のいずれか一項に記載の縦材において、
前記複数の溝は、前記開口部の反対側に位置する溝底部を有しており、
前記溝底部の幅寸法は、前記開口部の開口幅寸法よりも長く設定されていることを特徴とする縦材。
【請求項７】
請求項１〜６のいずれか一項に記載の縦材において、
前記複数のリブは、それぞれのリブの突出方向先端部に一体形成され、突出方向と直交する幅方向に延在する見付壁部を有しており、
前記複数のリブのそれぞれに一体形成された前記見付壁部同士の間が、前記複数の溝における前記開口部とされており、
前記開口部の開口幅寸法は、前記見付壁部の幅寸法よりも長く設定されていることを特徴とする縦材。
【請求項８】
請求項７に記載の縦材において、
前記複数のリブの突出寸法は、前記見付壁部の幅寸法よりも長く設定されていることを特徴とする縦材。
【請求項９】
請求項１〜８のいずれか一項に記載の縦材において、
表面に、艶消し用の凹凸が形成されていることを特徴とする縦材。
【発明の詳細な説明】
【技術分野】
【０００１】
本発明は、外壁面の縦方向のラインを強調する縦材に関する。
【背景技術】
【０００２】
従来、住宅等の建物においては、外壁面の縦方向のラインを強調する意匠要素として、例えば、隣り合うサッシ間に設けられる目板部材や、壁面から浮き出すように設けられる外装用の柱であるピラスター、開口部を左右に仕切る方立等のような各種の縦材を設けることがある（例えば、特許文献１〜３参照。）。
すなわち、以上のような各種の縦材は、上下階方向に真っすぐ形成された壁面や、その壁面に形成された開口部に対して用いられるものである。
【先行技術文献】
【特許文献】
【０００３】
【特許文献１】特開平９−７８８１９号公報
【特許文献２】特開２００９−２６３９１８号公報
【特許文献３】特許第５７５７０１１号公報
【発明の概要】
【発明が解決しようとする課題】
【０００４】
ところが、目板部材等の縦材が、周囲に設けられる窓枠や壁面と同化してしまうと、視認性が低下してしまい、外壁面の縦方向のラインを強調する意匠要素としての機能を効果的に果たすことができない場合がある。特に、縦材が、建物の１階の外壁面に設けられるものの場合は、人が近くから見ることができるため、視認性は低下しにくいが、縦材が、建物の上階の外壁面に設けられた場合や建物から遠い位置から見た場合には視認性が低下しやすい。
【０００５】
本発明は上記事情に鑑みてなされたものであり、縦材の視認性を向上させ、外壁面の縦方向のラインを強調することができる縦材を提供することを目的とする。
【課題を解決するための手段】
【０００６】
請求項１に記載の発明は、例えば図１〜図１０に示すように、建物１の外壁面２に沿って上下方向に延在する長尺な縦材１０Ａ〜１０Ｅにおいて、
前方に突出し、互いに間隔をあけて配置された複数のリブ１２１〜１２５（２２１〜２２５）と、
前記複数のリブ１２１〜１２５（２２１〜２２５）間にそれぞれ形成されるとともに前方に向かって開口する開口部１３１ａ〜１３４ａ（２３１ａ〜２３４ａ）を有し、前記複数のリブ１２１〜１２５（２２１〜２２５）の影が映し出される複数の溝１３１〜１３４と、を備えることを特徴とする。
【０００７】
請求項１に記載の発明によれば、前方に突出し、互いに間隔をあけて配置された複数のリブ１２１〜１２５（２２１〜２２５）と、複数のリブ１２１〜１２５（２２１〜２２５）間にそれぞれ形成されるとともに前方に向かって開口する開口部１３１ａ〜１３４ａ（２３１ａ〜２３４ａ）を有し、複数のリブ１２１〜１２５（２２１〜２２５）の影が映し出される複数の溝１３１〜１３４と、を備えるので、縦材１０Ａ〜１０Ｅに太陽光が当たった場合に、複数のリブ１２１〜１２５（２２１〜２２５）の突出方向先端面は明るく、複数の溝１３１〜１３４（２３１〜２３４）の内部には、複数のリブ１２１〜１２５（２２１〜２２５）の影が映し出されて暗くなる。すなわち、縦材１０Ａ〜１０Ｅの正面部分の幅方向に、“明”と“暗”の模様が交互に連続して表れることになる。これにより、縦材１０Ａ〜１０Ｅの正面部分は、縦材１０Ａ〜１０Ｅを見た人にとって明暗が分かりやすい状態になるので、縦材１０Ａ〜１０Ｅが、周囲と同化しにくくなって視認性が向上し、外壁面２の縦方向のラインを強調する意匠要素としての機能を効果的に果たすことができる。
【０００８】
請求項２に記載の発明は、例えば図４〜図１０に示すように、請求項１に記載の縦材１０Ａ〜１０Ｅにおいて、
前記外壁面２より前方に位置する正面壁部１１１（２１１）、前記正面壁部１１１（２１１）の幅方向両側端部から前記外壁面側に設けられる左右の側壁部１１３（２１３），１１４（２１４）、を有する本体部１１０（２１０）を備えており、
前記複数のリブ１２１〜１２５（２２１〜２２５）は、前記本体部１１０（２１０）における前記正面壁部１１１（２１１）に一体形成されていることを特徴とする。
【０００９】
請求項２に記載の発明によれば、複数のリブ１２１〜１２５（２２１〜２２５）は、本体部１１０（２１０）における正面壁部１１１（２１１）に一体形成されているので、一つの部材として取り扱いしやすい。
さらに、本体部１１０（２１０）は、正面壁部１１１（２１１）の幅方向両側端部から外壁面側に設けられる左右の側壁部１１３（２１３），１１４（２１４）を有するので、正面壁部１１１（２１１）と、この正面壁部１１１（２１１）に一体形成された複数のリブ１２１〜１２５（２２１〜２２５）を外壁面２から離間させて配置することができる。
【００１０】
請求項３に記載の発明は、例えば図４〜図１０に示すように、請求項２に記載の縦材において、
前記本体部１１０（２１０）は、前記外壁面２と前記正面壁部１１１（２１１）との間に位置する背面壁部１１２（２１２）をさらに有し、断面視において矩形筒状に形成されていることを特徴とする。
【００１１】
請求項３に記載の発明によれば、本体部１１０（２１０）は、外壁面２と正面壁部１１１（２１１）との間に位置する背面壁部１１２（２１２）をさらに有し、断面視において矩形筒状に形成されているので、例えば中実に形成された縦材に比して軽量化を図ることができ、一つの部材として取り扱いしやすい。
【００１２】
請求項４に記載の発明は、例えば図４〜図１０に示すように、請求項２又は３に記載の縦材１０Ａ〜１０Ｅにおいて、
前記本体部１１０（２１０）における各壁部１１１〜１１４（２１１〜２１４）の厚み寸法と、前記複数のリブ１２１〜１２５（２２１〜２２５）における長さ方向及び突出方向に直交する厚み方向の寸法との寸法比が、略１：１になるように設定されていることを特徴とする。
【００１３】
請求項４に記載の発明によれば、本体部１１０（２１０）における各壁部１１１〜１１４（２１１〜２１４）の厚み寸法と、複数のリブ１２１〜１２５（２２１〜２２５）における長さ方向及び突出方向に直交する厚み方向の寸法との寸法比が、略１：１になるように設定されているので、縦材１０Ａ〜１０Ｅを押出成形によって製造する場合に、材料が、複数のリブ１２１〜１２５（２２１〜２２５）の先端まで行き渡りやすくなり、縦材１０Ａ〜１０Ｅが製造しやすくなる。
【００１４】
請求項５に記載の発明は、例えば図４〜図１０に示すように、請求項１〜４のいずれか一項に記載の縦材１０Ａ〜１０Ｅにおいて、
前記複数のリブ１２１〜１２５（２２１〜２２５）の突出寸法は、前記複数の溝１３１〜１３４（２３１〜２３４）における前記開口部１３１ａ〜１３４ａ（２３１ａ〜２３４ａ）の開口幅寸法よりも長く設定されていることを特徴とする。
【００１５】
請求項５に記載の発明によれば、複数のリブ１２１〜１２５（２２１〜２２５）の突出寸法は、複数の溝１３１〜１３４（２３１〜２３４）における開口部１３１ａ〜１３４ａ（２３１ａ〜２３４ａ）の開口幅寸法よりも長く設定されているので、縦材１０Ａ〜１０Ｅに太陽光が当たった場合に、相対的に突出寸法が長い複数のリブ１２１〜１２５（２２１〜２２５）によって遮られ、太陽光が、複数の溝１３１〜１３４（２３１〜２３４）の内部に届きにくくなる。すなわち、例えば複数のリブ１２１〜１２５（２２１〜２２５）の突出寸法が、複数の溝１３１〜１３４（２３１〜２３４）における開口部１３１ａ〜１３４ａ（２３１ａ〜２３４ａ）の開口幅寸法よりも短い場合に比して、複数の溝１３１〜１３４（２３１〜２３４）の内部は暗くなりやすいので、縦材１０Ａ〜１０Ｅの正面部分は、縦材１０Ａ〜１０Ｅを見た人にとって明暗が分かりやすい状態になる。
【００１６】
請求項６に記載の発明は、例えば図４〜図１０に示すように、請求項１〜５のいずれか一項に記載の縦材１０Ａ〜１０Ｅにおいて、
前記複数の溝１３１〜１３４（２３１〜２３４）は、前記開口部１３１ａ〜１３４ａ（２３１ａ〜２３４ａ）の反対側に位置する溝底部を有しており、
前記溝底部の幅寸法は、前記開口部１３１ａ〜１３４ａ（２３１ａ〜２３４ａ）の開口幅寸法よりも長く設定されていることを特徴とする。
【００１７】
請求項６に記載の発明によれば、複数の溝１３１〜１３４（２３１〜２３４）における溝底部の幅寸法が、開口部１３１ａ〜１３４ａ（２３１ａ〜２３４ａ）の開口幅寸法よりも長く設定されているため、開口部１３１ａ〜１３４ａ（２３１ａ〜２３４ａ）の開口幅寸法が狭い分、太陽光が届きにくくなり、複数の溝１３１〜１３４（２３１〜２３４）における溝底部の幅寸法が広い分、影を映し出す面積が広くなるので、複数の溝１３１〜１３４（２３１〜２３４）の内部は暗くなりやすくなり、縦材１０Ａ〜１０Ｅの正面部分は、縦材１０Ａを見た人にとって明暗が分かりやすい状態になる。
【００１８】
請求項７に記載の発明は、例えば図４〜図１０に示すように、請求項１〜６のいずれか一項に記載の縦材において、
前記複数のリブ１２１〜１２５（２２１〜２２５）は、それぞれのリブ１２１〜１２５（２２１〜２２５）の突出方向先端部に一体形成され、突出方向と直交する幅方向に延在する見付壁部１２１ａ〜１２５ａ（２２１ａ〜２２５ａ）を有しており、
前記複数のリブ１２１〜１２５（２２１〜２２５）のそれぞれに一体形成された前記見付壁部１２１ａ〜１２５ａ（２２１ａ〜２２５ａ）同士の間が、前記複数の溝１３１〜１３４（２３１〜２３４）における前記開口部１３１ａ〜１３４ａ（２３１ａ〜２３４ａ）とされており、
前記開口部１３１ａ〜１３４ａ（２３１ａ〜２３４ａ）の開口幅寸法は、前記見付壁部１２１ａ〜１２５ａ（２２１ａ〜２２５ａ）の幅寸法よりも長く設定されていることを特徴とする。
【００１９】
請求項７に記載の発明によれば、複数のリブ１２１〜１２５（２２１〜２２５）は、それぞれのリブ１２１〜１２５（２２１〜２２５）の突出方向先端部に一体形成され、突出方向と直交する幅方向に延在する見付壁部１２１ａ〜１２５ａ（２２１ａ〜２２５ａ）を有しているので、複数のリブ１２１〜１２５（２２１〜２２５）の突出方向先端が幅広に形成されることになる。これにより、複数のリブ１２１〜１２５（２２１〜２２５）の突出方向先端面に太陽光が当たる面積が広くなるので、複数のリブ１２１〜１２５（２２１〜２２５）の突出方向先端面は明るく強調され、複数の溝１３１〜１３４（２３１〜２３４）の内部には影ができやすくなる。
さらに、開口部１３１ａ〜１３４ａ（２３１ａ〜２３４ａ）の開口幅寸法は、見付壁部１２１ａ〜１２５ａ（２２１ａ〜２２５ａ）の幅寸法よりも長く設定されているので、溝１３１〜１３４（２３１〜２３４）の内部に映し出された影を、見付壁部１２１ａ〜１２５ａ（２２１ａ〜２２５ａ）よりも幅広な開口部１３１ａ〜１３４ａ（２３１ａ〜２３４ａ）から見えやすくすることができる。
そのため、縦材１０Ａ〜１０Ｅの正面部分は、縦材１０Ａ〜１０Ｅを見た人にとって明暗が分かりやすい状態になる。
【００２０】
請求項８に記載の発明は、例えば図４〜図１０に示すように、請求項７に記載の縦材１０Ａ〜１０Ｅにおいて、
前記複数のリブ１２１〜１２５（２２１〜２２５）の突出寸法は、前記見付壁部１２１ａ〜１２５ａ（２２１ａ〜２２５ａ）の幅寸法よりも長く設定されていることを特徴とする。
【００２１】
請求項８に記載の発明によれば、複数のリブ１２１〜１２５（２２１〜２２５）の突出寸法は、見付壁部１２１ａ〜１２５ａ（２２１ａ〜２２５ａ）の幅寸法よりも長く設定されているので、縦材１０Ａ〜１０Ｅに太陽光が当たった場合に、相対的に突出寸法が長い複数のリブ１２１〜１２５（２２１〜２２５）によって遮られ、太陽光が、複数の溝１３１〜１３４（２３１〜２３４）の内部に届きにくくなる。また、見付壁部１２１ａ〜１２５ａ（２２１ａ〜２２５ａ）も、その幅寸法が、複数のリブ１２１〜１２５（２２１〜２２５）の突出寸法より短いものの、複数の溝１３１〜１３４（２３１〜２３４）の内部に影をできやすくするため、相乗的に、複数の溝１３１〜１３４（２３１〜２３４）の内部は暗くなりやすくなり、縦材１０Ａ〜１０Ｅの正面部分は、縦材１０Ａ〜１０Ｅを見た人にとって明暗が分かりやすい状態になる。
【００２２】
請求項９に記載の発明は、例えば図４〜図１０に示すように、請求項１〜８のいずれか一項に記載の縦材１０Ａ〜１０Ｅにおいて、
表面に、艶消し用の凹凸（凹部１４０、凸部１４１）が形成されていることを特徴とする。
【００２３】
請求項９に記載の発明によれば、表面に、艶消し用の凹凸（凹部１４０、凸部１４１）が形成されているので、縦材１０Ａ〜１０Ｅの外側面が過度に太陽光を反射しなくなり、縦材１０Ａ〜１０Ｅ全体に対する視認性を向上させることができる。そのため、縦材１０Ａ〜１０Ｅの正面部分に目を向けやすくなるので、却って、縦材１０Ａ〜１０Ｅの正面部分が目立つことになり、外壁面２の縦方向のラインを強調する意匠要素としての機能を効果的に果たすことができる。
さらに、縦材１０Ａ〜１０Ｅの表面に艶消し用の凹凸（凹部１４０、凸部１４１）が形成されることで、縦材１０Ａ〜１０Ｅを見た人に対して、高級感のある落ち着いた印象を与えることができるので好ましい。
【発明の効果】
【００２４】
本発明によれば、縦材の視認性を向上させ、外壁面の縦方向のラインを強調することができる。
【図面の簡単な説明】
【００２５】
【図１】外壁面に複数の縦材が設けられた建物を示す斜視図である。
【図２】建物に設けられた複数の縦材を含む壁面構造を示す正面図である。
【図３】建物に設けられた複数の縦材を含む壁面構造を示す断面図である。屋外装置は省略されている。
【図４】縦材の取付例を示す断面図である。
【図５】縦材の取付例を示す断面図である。
【図６】縦材の第一部位を示す端面図である。
【図７】縦材の第二部位を示す端面図である。
【図８】第一部位又は第二部位の正面部分を示す拡大端面図である。
【図９】太陽光が当たった場合の第一部位を示す斜視図である。
【図１０】縦材に太陽光が当たった場合の状態を説明する図である。
【発明を実施するための形態】
【００２６】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２７】
図１において符号１は、建物を示す。この建物１は三階建ての住宅であり、建物１正面には、上下方向に延在する複数の縦材１０Ａ〜１０Ｅが設けられている。
建物１中央における正面側の外壁２は、前方に突出した位置に配置されているため、当該中央正面側の外壁２は、建物１の外観を構成する主要な立面（すなわち、正面又はファサード）として認識され、人の目に入りやすくなる。また、この外壁２は、建物１の二階から三階にかけて設けられている。このような当該中央正面側の外壁２に、図１，図２に示すように、複数の縦材１０Ａ〜１０Ｅが設けられている。なお、本実施形態においては、中央正面側の外壁２に対して５本の縦材１０Ａ〜１０Ｅが設けられている。
なお、本実施形態においては、ファサードとなる外壁２に対して複数の縦材１０Ａ〜１０Ｅが設けられるものとしたが、これに限られるものではなく、その他の外壁に設けられるものとしてもよい。図１に示す建物１のうち、外壁２の右隣に位置する外壁にも複数の縦材が設けられているものとする。さらに、図示はしないが、建物１の背面側にも複数の縦材が設けられているものとする。
【００２８】
図３に示すように、外壁２で示す部位の内側であって、建物１の二階には部屋３が配設されており、建物１の三階には、インナーバルコニー４が配設され、当該インナーバルコニー４の内側には三階の部屋５が配設されている。
【００２９】
外壁２の二階部分には、部屋３と屋外空間とを連通する窓開口部２ａが形成されている。なお、窓開口部２ａは、連窓（４連窓）とされている。連窓である窓開口部２ａ同士の間には、窓サッシが固定される柱２ｂが設けられている。
窓開口部２ａは、正面側から見て複数の縦材１０Ａ〜１０Ｅ間に位置するようにして配置され、柱２ｂは、正面側から見て複数の縦材１０Ａ〜１０Ｅの裏側に位置するようにして配置されている。
【００３０】
外壁２の三階部分には、インナーバルコニー４の外側縁部に立設された立ち上がり壁と、手摺壁と、からなるバルコニー手摺２ｃが設けられている。バルコニー手摺２ｃの上方は、開口部とされており、インナーバルコニー４と屋外空間とを連通している。また、この開口部の上方には、複数の縦材１０Ａ〜１０Ｅの上端部を覆う庇２ｄが設けられている。
インナーバルコニー４と部屋５との間には、インナーバルコニー４の分だけ、中央正面側の外壁２よりも屋内側に後退した外壁６が設けられている。外壁６には、インナーバルコニー４と部屋５とを連通する窓開口部６ａが形成されている。なお、窓開口部６ａは、掃き出し窓とされている。窓開口部６ａに設けられた窓サッシは、正面側から見て複数の縦材１０Ａ〜１０Ｅ間に位置するようにして配置されている。
【００３１】
外壁２や屋内側に後退した外壁６、その他の、建物１における各外壁の表面には、耐火性能を有する外壁材Ｗが取り付けられている（図５参照。）。
外壁材Ｗは、複数の縦材１０Ａ〜１０Ｅを構成する材料とは異なる材料によって構成されており、その意匠も、複数の縦材１０Ａ〜１０Ｅとは異なるように設定されている。そのため、複数の縦材１０Ａ〜１０Ｅによる縦方向のラインが強調され、意匠性を向上させることができるようになっている。
【００３２】
複数の縦材１０Ａ〜１０Ｅ間には、図１〜図５に示すように、屋外装置７が設けられて固定されている。
屋外装置７は、本実施形態においては、外部からの目隠しや日射し調整のためのルーバーが採用されている。当該ルーバー７は、水平に配置された複数の羽板が上下に間隔を空けて配置されたルーバー本体７ａと、ルーバー本体７ａの両側端部が嵌め込まれる一対のレール７ｂと、を備える。
一対のレール７ｂは、図２に示すように、複数の縦材１０Ａ〜１０Ｅの長さ方向に沿って長尺に形成され、複数の縦材１０Ａ〜１０Ｅの側面に対してボルト留めされている（図４参照。）。
ルーバー本体７ａは、一対のレール７ｂに嵌め込まれ、固定具によって固定されて保持されている。そのため、建物１のファサードに、外壁材Ｗを欠損させずに屋外装置を設けたいという要望に対して好適に対応することができる。
また、ルーバー本体７ａは、一対のレール７ｂの長さ方向に複数設けられており、かつ二階部分に形成された窓開口部２ａを避けて配置されている。三階部分においては、最上方に設けられたルーバー本体７ａの上端部が、バルコニー手摺２ｃの上端部よりも上方に位置した状態となっている。
なお、本実施形態においては、屋外装置としてルーバー７を採用したが、これに限られるものではなく、例えばフラワーボックスや、シャッター装置のシャッター本体、庇、オーニング設置等、様々なものを採用してもよい。
【００３３】
複数の縦材１０Ａ〜１０Ｅは、建物１の躯体に固定されたブラケット１１〜１３によって中央正面側の外壁２に支持され、内部に設けられる中芯部材１４，１５によって剛性の向上が図られている。また、複数の縦材１０Ａ〜１０Ｅを外壁２に取り付ける場合には、外壁材Ｗと共に耐火ラインを形成するための不燃材１６が適宜用いられている。
【００３４】
５本の縦材１０Ａ〜１０Ｅのうち、両端部２本の縦材１０Ａ，１０Ｅと、真ん中３本の縦材１０Ｂ〜１０Ｄとで構成が異なる。
すなわち、図３〜図５においては、５本の縦材１０Ａ〜１０Ｅのうち、左から二番目の縦材１０Ｂを表しているが、この縦材１０Ｂは、図２の矢印Ｙで示す高さ位置に表されたライン（破線）の上側においては奥行き寸法が短く設定された断面構造となっており、下側においては奥行き寸法が長く設定された断面構造となっている。真ん中３本の縦材１０Ｂ〜１０Ｄは構成が同一であり、縦材１０Ｃ，１０Ｄも、縦材１０Ｂと同様に、図２の矢印Ｙで示す高さ位置に表されたライン（破線）の上側においては奥行き寸法が短く設定された断面構造となっており、下側においては奥行き寸法が長く設定された断面構造となっている。
一方、両端部２本の縦材１０Ａ，１０Ｅの場合は、図２の矢印Ｙで示す高さ位置に表されたライン（破線）の上側も下側も、奥行き寸法が短く設定された断面構造となっている。
縦材１０Ａ，１０Ｃ〜１０Ｅにおいて、奥行き寸法が短く設定された断面構造の部位は、図４に示す縦材１０Ｂの奥行き寸法が短く設定された断面構造の部位と同一断面となっている。また、真ん中３本の縦材１０Ｃ，１０Ｄにおいて、奥行き寸法が長く設定された断面構造の部位は、図５に示す縦材１０Ｂの奥行き寸法が長く設定された断面構造の部位と同一断面となっている。
これを踏まえ、以下では、説明の便宜上、図４において表された断面構造と同一の断面構造に構成された縦材１０Ａ〜１０Ｅの部位を、第一部位１００と呼称し、図５において表された断面構造と同一の断面構造に構成された縦材１０Ｂ〜１０Ｄの部位を、第二部位２００と呼称する。
【００３５】
第一部位１００と第二部位２００は、外壁２の壁面構造に対応して選択される。
すなわち、真ん中３本の縦材１０Ｂ〜１０Ｄにおいては、図３，図４に示すように外壁２には、前方に張り出すように構成されたバルコニー手摺２ｃが含まれるため、図２の矢印Ｙで示す高さ位置に表されたラインの上側においては奥行き寸法が短く設定された第一部位１００が採用されている。矢印Ｙラインの下側においては張り出すような部位がないため、第二部位２００が採用されている。
一方、両端部２本の縦材１０Ａ，１０Ｅにおいては、図示はしないが、縦材１０Ａ，１０Ｅの建物１側面と外壁２との間に、側方から各ブラケット１１〜１３に向けられる視線を遮蔽したり、窓開口部２ａにおける窓サッシの側端部を納めるスペースを確保したりするための側面カバーが設けられるため、矢印Ｙラインの上側も下側も奥行き寸法が短く設定された第一部位１００が採用されている。
つまり、各縦材１０Ａ〜１０Ｅにおける第一部位１００と第二部位２００は、建築される建物に応じて適宜変更可能となっている。
【００３６】
縦材１０Ａ〜１０Ｅにおける第一部位１００及び第二部位２００は、長さ方向に連続する同一断面となるように形成された長尺物であり、例えばアルミニウムやステンレス、鋼材等の金属によって構成され、断面略矩形筒状に形成されている。なお、本実施形態における第一部位１００及び第二部位２００は、アルミニウムによって構成されている。アルミニウムの場合、押出成形によって製造できるため、形状の自由度が高まり、意匠性の向上を図りやすい。
第一部位１００及び第二部位２００は、このように金属製であるため、例えば窯業系サイディングボードによって構成される従来公知のピラスターと比較して、屋外装置７の固定に適したものとなっている。また、押出成形によって製造しやすい。
また、５本の縦材１０Ａ〜１０Ｅはいずれも、矢印Ｙラインの上側と下側の部位が一体形成されてもよいし、別体であってもよい。また、別体で製造された後に一体に接合されて用いられてもよい。
さらに、図示はしないが、縦材１０Ａ〜１０Ｅにおける矢印Ｙラインの下側に位置する第一部位１００又は第二部位２００の下端部には、キャップ部材が設けられており、断面略矩形筒状に形成された第一部位１００と第二部位２００の下端部における開放部を閉塞している。
【００３７】
ブラケット１１〜１３には、第一ブラケット１１と、第二ブラケット１２と、第三ブラケット１３とが含まれている。
第一ブラケット１１は、図３に示すように、外壁２から縦材１０Ａ〜１０Ｅまでの間隔が長い場合に使用される金属製のブラケットであり、本実施形態においては、縦材１０Ａ〜１０Ｅの第一部位１００を外壁２に取り付けて支持するために設けられる。
第二ブラケット１２は、図３，図４に示すように、外壁２から縦材１０Ａ〜１０Ｅまでの間隔が短い場合に使用される金属製のブラケットであり、本実施形態においては、真ん中３本の縦材１０Ｂ〜１０Ｄにおける第二部位２００を外壁２に取り付けて支持するために設けられる。
第三ブラケット１３は、図３に示すように、縦材１０Ａ〜１０Ｅの上端部を外壁２に保持させるための金属製のブラケットであり、側面視において略Ｌ字状に形成されている。この第三ブラケット１３は、庇２ｄによって覆われている。
【００３８】
中芯部材１４，１５は、複数の縦材１０Ａ〜１０Ｅの内部に設けられるものであり、例えばアルミニウムやステンレス、鋼材、亜鉛メッキ鋼板等の金属板を折曲加工することによって構成されている。当該中芯部材１４，１５には、第一中芯部材１４と、第二中芯部材１５と、が含まれている。
第一中芯部材１４は、第一部位１００の内部に設けられている。この第一中芯部材１４は、第一部位１００の内部における建物１側面に沿う中央板部１４ａと、左右両側面に沿う左右の側板部１４ｂと、を備える。屋外装置であるルーバー７のレール７ｂは、左右の側板部１４ｂに対応して設けられ、当該左右の側板部１４ｂを含んで強固にボルト留めされている。
第二中芯部材１５は、第二部位２００の内部に設けられている。この第二中芯部材１５は、第二部位２００の内部における建物１側面に沿う中央板部１５ａと、左右両側面に沿う左右の側板部１５ｂと、を備える。左右の側板部１５ｂは、第一中芯部材１４における左右の側板部１４ｂと同様に、屋外装置の固定箇所として用いることができる。
なお、本実施形態における中芯部材１４，１５は、亜鉛メッキ鋼板や鋼材のような剛性の高い金属によって構成されている。これにより、複数の縦材１０Ａ〜１０Ｅ間に屋外装置７が固定される上で都合が良い。
【００３９】
不燃材１６は、例えば図５に示すように、ブラケット１１〜１３と外壁２との間の隙間Ｓを利用して設けられており、外壁材Ｗと連続的に配置された状態となって、耐火ラインを形成している。また、隙間Ｓ以外にも、隣り合う窓サッシ間に耐火ラインを形成するために設けられる場合がある。すなわち、不燃材１６は、耐火ラインを形成するべき位置に対応して設けられている。
【００４０】
以上のように建物１の外壁２に取り付けられた複数の縦材１０Ａ〜１０Ｅは、外壁面（中央正面側の外壁２の屋外側面：ファサード）の縦方向のラインを強調する意匠要素としての機能を効果的に果たすための構成を備えている。なお、本実施形態では、便宜的に、中央正面側の外壁２の屋外側面である外壁面に対して符号２を付して説明する。
複数の縦材１０Ａ〜１０Ｅは、図４〜図８に示すように、第一部位１００と第二部位２００の双方において、本体部１１０，２１０と、複数のリブ１２１〜１２５，２２１〜２２５と、複数の溝１３１〜１３４，２３１〜２３４と、を備える。
【００４１】
まず、複数の縦材１０Ａ〜１０Ｅにおける第一部位１００について説明する。
第一部位１００における本体部１１０は、外壁面２とは反対側に位置する正面壁部１１１、外壁面２側に位置する背面壁部１１２、正面壁部１１１の幅方向側端部と背面壁部１１２の幅方向側端部との間に設けられる左右の側壁部１１３，１１４、を有し、断面視において矩形筒状に形成されている。
正面壁部１１１、背面壁部１１２、左側壁部１１３、右側壁部１１４は一体形成されており、それぞれの厚み寸法は略等しく設定されている。
なお、本体部１１０における４つの内角には、略Ｃ形の爪状部が一体形成されており、例えばキャップ部材の取付などに利用される。
【００４２】
複数のリブ１２１〜１２５は、本体部１１０における正面壁部１１１に一体形成されるとともに前方に突出し、互いに間隔をあけて配置されている。
また、複数の溝１３１〜１３４は、複数のリブ１２１〜１２５間にそれぞれ形成され、前方に向かって開口する開口部１３１ａ〜１３４ａを有し、複数のリブ１２１〜１２５の影が映し出される。
【００４３】
複数のリブ１２１〜１２５は、それぞれのリブ１２１〜１２５の突出方向先端部に一体形成され、突出方向と直交する幅方向に延在する見付壁部１２１ａ〜１２５ａを有する。このような見付壁部１２１ａ〜１２５ａは、縦材１０Ａ〜１０Ｅが太陽光を受けた際に、太陽光が最も先に当たる部位となっており、他の部位によって影ができない部位である。
見付壁部１２１ａ〜１２５ａのうち、両端部２本のリブ１２１，１２５が有する見付壁部１２１ａ，１２５ａは、リブ１２１，１２５の突出方向先端部から中央側に向かって直角に延出するように形成されている。すなわち、両端部２本のリブ１２１，１２５は、見付壁部１２１ａ，１２５ａを含んで断面視（端面視）略Ｌ字状に形成されている。
見付壁部１２１ａ〜１２５ａのうち、真ん中３本のリブ１２２〜１２４が有する見付壁部１２２ａ〜１２４ａは、リブ１２２〜１２４の突出方向先端部から左右両側に向かって延出するように形成されている。すなわち、真ん中３本のリブ１２２〜１２４は、見付壁部１２２ａ〜１２４ａを含んで断面視（端面視）略Ｔ字状に形成されている。
【００４４】
複数のリブ１２１〜１２５の突出方向の長さは、全て同一の寸法に設定されている。具体的には、本実施形態において、複数のリブ１２１〜１２５の突出方向の長さは１５ｍｍに設定されているが、例えば１５ｍｍ前後（例えば１４ｍｍ〜１６ｍｍ）であってもよい。
また、複数のリブ１２１〜１２５の突出寸法は、１６ｍｍ以上の長さに設定されていても外壁面２の縦方向のラインを強調する意匠要素としての機能を効果的に果たすことは可能であるが、１０ｍｍ程度又は１０ｍｍ以下の長さにしてしまうと、複数の溝１３１〜１３４内部への太陽光の入射量が多くなってしまい、外壁面２の縦方向のラインを強調する意匠要素としての機能を効果的に果たすことができない。
【００４５】
複数のリブ１２１〜１２５の突出寸法は、複数の見付壁部１２１ａ〜１２５ａの幅寸法よりも長く設定されている。
また、複数のリブ１２１〜１２５の突出寸法は、複数の溝１３１〜１３４における開口部１３１ａ〜１３４ａの開口幅寸法よりも長く設定されている。
【００４６】
本体部１１０における各壁部１１１〜１１４の厚み寸法と、複数のリブ１２１〜１２５における厚み方向の寸法との寸法比が、略１：１になるように設定されている。複数のリブ１２１〜１２５の厚み方向とは、複数のリブ１２１〜１２５の長さ方向及び突出方向に直交する方向を指している。
また、上記の寸法比は、どちらかが極端に厚みがあるような状態を避け、だいたい１：１になるように設定されていればよく、例えば各壁部１１１〜１１４の厚み寸法と、複数のリブ１２１〜１２５における厚み方向の寸法との寸法比が、１：１．３（１．３：１）程度までであれば許容されるものとする。本実施形態においては、本体部１１０における各壁部１１１〜１１４の厚み寸法が、２．５ｍｍに設定されており、複数のリブ１２１〜１２５における厚み方向の寸法が、２．０ｍｍに設定されている。
例えば当該寸法比が、１：２（２：１）程度又はそれ以上に設定されてしまうと、縦材１０Ａ〜１０Ｅを押出成形によって製造する場合に、アルミ等の材料の硬さや材料を押し出す際の圧力にもよるが、材料が、複数のリブ１２１〜１２５の先端まで行き渡りにくくなる場合がある。当該寸法比が、略１：１になるように設定されていれば、材料が、複数のリブ１２１〜１２５の先端まで行き渡りやすくなる。
【００４７】
さらに、複数のリブ１２１〜１２５における厚み寸法と、見付壁部１２１ａ〜１２５ａにおける厚み寸法との寸法比は、１：１に設定されている。すなわち、複数のリブ１２１〜１２５における厚み寸法が、２．０ｍｍに設定されているので、見付壁部１２１ａ〜１２５ａにおける厚み寸法も、２．０ｍｍに設定されている。
【００４８】
複数の見付壁部１２１ａ〜１２５ａの幅寸法（複数のリブ１２１〜１２５が突出する方向と直交する左右の方向を指す。）は、全て同一の寸法に設定されている。具体的には、本実施形態において、複数の見付壁部１２１ａ〜１２５ａの幅寸法は６．２ｍｍに設定されているが、例えば６．２ｍｍ前後（例えば５．７ｍｍ〜６．７ｍｍ）であってもよい。
これら複数の見付壁部１２１ａ〜１２５ａ同士の間が、複数の溝１３１〜１３４における開口部１３１ａ〜１３４ａとされている。
【００４９】
複数の溝１３１〜１３４は、複数のリブ１２１〜１２５によって構成される溝壁部と、開口部の反対側に位置し、本体部１１０の正面壁部１１１によって構成される溝底部を有している。
複数の溝１３１〜１３４における開口部１３１ａ〜１３４ａは、複数のリブ１２１〜１２５の突出方向先端部同士の間を指している。本実施形態においては、複数のリブ１２１〜１２５の突出方向先端部には、見付壁部１２１ａ〜１２５ａがある状態となっているため、見付壁部１２１ａ〜１２５ａ同士の間が、複数の溝１３１〜１３４における開口部１３１ａ〜１３４ａとされている。
【００５０】
そして、溝底部の幅寸法は、開口部１３１ａ〜１３４ａの開口幅寸法よりも長く設定されている。すなわち、複数の溝１３１〜１３４は、開口部１３１ａ〜１３４ａから内部に入ると、溝幅が広くなるように形成された状態となっている。このように、複数の溝１３１〜１３４における太陽光の入射口に相当する開口部１３１ａ〜１３４ａを溝幅よりも狭めておけば、複数の溝１３１〜１３４の内部には影ができやすくなる。
さらに、複数の溝１３１〜１３４における開口部１３１ａ〜１３４ａの開口幅寸法は、複数のリブ１２１〜１２５における見付壁部１２１ａ〜１２５ａの幅寸法よりも長く設定されている。
より具体的に説明すると、開口部１３１ａ〜１３４ａの開口幅寸法は、全て１０ｍｍに設定されている。このような開口幅寸法は、本体部１１０の正面壁部１１１の幅寸法に対する見付壁部１２１ａ〜１２５ａの幅寸法次第で適宜変更されるものである。
【００５１】
なお、複数のリブ１２１〜１２５のうち、両端部２本のリブ１２１，１２５は、上述のように、見付壁部１２１ａ，１２５ａを含んで断面視（端面視）略Ｌ字状に形成されている。そのため、両端部２本のリブ１２１，１２５と、その隣のリブ１２２，１２４との間の間隔は、真ん中３本のリブ１２２〜１２４間の間隔よりも広くなっている。すなわち、複数の溝１３１〜１３４のうち、両端部２つの溝１３１，１３４の溝幅（溝壁部間の間隔）は、真ん中２つの溝１３２，１３３の溝幅（溝壁部間の間隔）よりも幅広に設定されている。
より具体的に説明すると、両端部２つの溝１３１，１３４の溝幅は、１６．３ｍｍに設定されており、真ん中２つの溝１３２，１３３の溝幅は、１４．２ｍｍに設定されている。
【００５２】
また、第一部位１００の表面には、図６，図８に示すように、艶消し加工が施されている。より詳細に説明すると、本体部１１０における背面壁部１１２の表面と、本体部１１０における左右の側壁部１１３，１１４の表面と、複数のリブ１２１〜１２５のうち最も幅方向外側に位置する二つのリブ１２１，１２５における外側面と、複数のリブ１２１〜１２５における見付壁部１２１ａ〜１２５ａの正面に、艶消し用の凹凸（凹部１４０、凸部１４１）が形成されている。
【００５３】
艶消し用の凹凸は、あくまでも、凹部１４０と凸部１４１が多数連続する表面加工の一種であって、複数のリブ１２１〜１２５及び複数の溝１３１〜１３４のように、縦材１０Ａ〜１０Ｅを構成する主要部位（パーツ）として設けられたものではない。したがって、艶消し用の凹凸は、縦材１０Ａ〜１０Ｅの製造時に形成されるか、縦材１０Ａ〜１０Ｅの製造後に表面に刻まれて形成される。
より具体的には、凹部１４０の底部の位置から凸部１４１の頂部までの突出寸法は、本実施形態においては、０．３ｍｍに設定されており、隣り合う凹部１４０同士の底部から底部までの間隔寸法は、本実施形態においては、１．０ｍｍに設定されている。すなわち、複数のリブ１２１〜１２５と凸部１４１は共に、凸形ではあるものの、その突出寸法が明らかに異なり、同一のものであると誤認する虞がないものである。重ねて説明するが、複数のリブ１２１〜１２５は、あくまでも縦材１０Ａ〜１０Ｅを構成する主要部位（パーツ）として備えられたものであり、凹部１４０及び凸部１４１は、あくまでも表面加工として備えられたものである。
【００５４】
また、複数のリブ１２１ａ〜１２５ａの正面には艶消し用の凹凸が形成され、その奥に見える複数の溝１３１〜１３４の溝底部には艶消し用の凹凸が形成されていない。そのため、縦材１０Ａ〜１０Ｅの正面部分を正面側から見た場合に、たとえ溝底部に直接的に太陽光が当たったとしても、光の反射の態様が異なるものとなる。
【００５５】
続いて、複数の縦材１０Ａ〜１０Ｅにおける第二部位２００について説明する。ただし、第一部位１００と第二部位２００は、その奥行き寸法を除いて構成が大きく異なる点がないため、第一部位１００との相違点を挙げて説明する。
【００５６】
第二部位２００における本体部２１０は、正面壁部２１１、背面壁部２１２、左右の側壁部２１３，２１４、を有し、断面視において矩形筒状に形成されている。
左側壁部２１３、右側壁部２１４は、第一部位１００における本体部１１０の左側壁部１１３、右側壁部１１４よりも奥行き方向（正面壁部２１１から背面壁部２１２への方向を指す。）に長く設定されている。そのため、第二部位２００は、第一部位１００に比して奥行き寸法が長くなっている。
また、背面壁部２１２は、当該背面壁部２１２の幅方向両端縁に設けられ、外壁２側に突出する突出縁部２１２ａを有する。そして、これら突出縁部２１２ａ間には、図４に示すように、第二ブラケット１２が嵌まり込むようにして設けられている。
【００５７】
複数のリブ２２１〜２２５は、本体部２１０における正面壁部２１１に一体形成されるとともに前方に突出し、互いに間隔をあけて配置されている。
また、複数の溝２３１〜２３４は、複数のリブ２２１〜２２５間にそれぞれ形成され、前方に向かって開口する開口部２３１ａ〜２３４ａを有し、複数のリブ２２１〜２２５の影が映し出されるようになっている。
【００５８】
また、第二部位２００の表面には、図７，図８に示すように、艶消し加工が施されている。より詳細に説明すると、本体部２１０における左右の側壁部２１３，２１４の表面と、複数のリブ２２１〜２２５のうち最も幅方向外側に位置する二つのリブ２２１，２２５における外側面と、複数のリブ２２１〜２２５における見付壁部２２１ａ〜２２５ａの正面に、艶消し用の凹凸（凹部２４０、凸部２４１）が形成されている。
【００５９】
第二部位２００は、以上のように構成されており、その他の点は第一部位１００と同様に構成されている。複数のリブ２２１〜２２５（見付壁部２２１ａ〜２２５ａを含む）や、複数の溝２３１〜２３４に係る寸法設定も同様に設定されている。
【００６０】
第一部位１００又は第二部位２００を含んで構成された縦材１０Ａ〜１０Ｅは、以上のようにして構成されている。
なお、縦材１０Ａ〜１０Ｅの色を、外壁材Ｗと同系色に設定することで統一感を生み出せるようにしてもよいし、あえて別系統の色を採用して、縦方向のラインをより強調するようにしてもよい。
【００６１】
図９は、縦材１０Ａ〜１０Ｅの第一部位１００に太陽光が当たった場合の斜視図であり、複数のリブ１２１〜１２５の突出方向先端部である各見付壁部１２１ａ〜１２５ａの正面が明るく、複数の溝１３１〜１３４の内部には、複数のリブ１２１〜１２５の影が映し出されて暗くなっている。
すなわち、縦材１０Ａ〜１０Ｅの正面部分の幅方向に、“明”と“暗”の模様が交互に連続して表れることになる。これにより、縦材１０Ａ〜１０Ｅの正面部分は、縦材１０Ａ〜１０Ｅを見た人にとって明暗が分かりやすい状態になる。
なお、複数の溝１３１〜１３４の内部でも光の反射が起こるため、複数の溝１３１〜１３４の内部に映し出される影にも濃淡が生じるものとする。
【００６２】
太陽は時間を追って移動するため、縦材１０Ａ〜１０Ｅに注がれる太陽光も刻々とその向きを変える。また、縦材１０Ａ〜１０Ｅを見る人も、必ず同じ向きで、必ず同じ時間に縦材１０Ａ〜１０Ｅを見ることはほとんどないため、縦材１０Ａ〜１０Ｅの正面部分に表れる明暗の模様は、見るたびに印象が異なるものとなる。また、縦材１０Ａ〜１０Ｅの取り付け向き、ひいては、建物１の向きによっても異なるものとなる。
【００６３】
図１０（ａ）〜図１０（ｃ）は、縦材１０Ａ〜１０Ｅの第一部位１００又は第二部位２００に太陽光が当たった場合の状態と、太陽光の入射角、見る人Ｍ１，Ｍ２，Ｍ３の立ち位置と視線の向きと、を表している。
なお、図１０に示す例においては、縦材１０Ａ〜１０Ｅの第一部位１００が採用されているが、第二部位２００を採用してもよい。
【００６４】
図１０（ａ）に示す例においては、人Ｍ１，Ｍ３には、縦材１０Ａ〜１０Ｅの正面部分に、比較的くっきりと明暗の模様が表れているように見えている。
一方、人Ｍ２には、溝１３１〜１３４の内部にも差し込んだ太陽光の反射光が目に入るため、“明”の部分がやや多く、人Ｍ１，Ｍ３が見る明暗の模様とは印象が異なったものとなる。
【００６５】
図１０（ｂ）に示す例においては、複数のリブ１２１〜１２５が設けられた方向と、太陽光の入射角とが揃った状態となっているため、複数の溝１３１〜１３４の内部に映し出される影の量が最も少ない。
その中でも、真ん中にいる人Ｍ１から見た縦材１０Ａ〜１０Ｅの正面部分は、“暗”の部分が少ない状態となっている。
左右にいる人Ｍ２，Ｍ３からは、見付壁部１２１ａ〜１２５ａによって作り出された影が目に入るため、真ん中にいる人Ｍ１よりも、明暗の模様が比較的くっきりと表れているように見えている。
【００６６】
図１０（ｃ）に示す例においては、複数のリブ１２１〜１２５が設けられた方向に対して、太陽光の入射角が傾いている状態（角度がついた状態）となっている。図１０（ｃ）は、縦材１０Ａ〜１０Ｅの正面部分に明暗の模様が表れる状態としては限界に近い場合の例を示している。
このような状態の縦材１０Ａ〜１０Ｅの正面部分には、明暗の模様がくっきりと表れるため、縦材１０Ａ〜１０Ｅを見る人Ｍ１，Ｍ２，Ｍ３の誰もが、くっきりとした明暗の模様を見ることができる。
【００６７】
本実施の形態によれば、前方に突出し、互いに間隔をあけて配置された複数のリブ１２１〜１２５（２２１〜２２５）と、複数のリブ１２１〜１２５（２２１〜２２５）間にそれぞれ形成されるとともに前方に向かって開口する開口部１３１ａ〜１３４ａ（２３１ａ〜２３４ａ）を有し、複数のリブ１２１〜１２５（２２１〜２２５）の影が映し出される複数の溝１３１〜１３４と、を備えるので、縦材１０Ａ〜１０Ｅに太陽光が当たった場合に、複数のリブ１２１〜１２５（２２１〜２２５）の突出方向先端面は明るく、複数の溝１３１〜１３４（２３１〜２３４）の内部には、複数のリブ１２１〜１２５（２２１〜２２５）の影が映し出されて暗くなる。すなわち、縦材１０Ａ〜１０Ｅの正面部分の幅方向に、“明”と“暗”の模様が交互に連続して表れることになる。これにより、縦材１０Ａ〜１０Ｅの正面部分は、縦材１０Ａ〜１０Ｅを見た人にとって明暗が分かりやすい状態になるので、縦材１０Ａ〜１０Ｅが、周囲と同化しにくくなって視認性が向上し、外壁面２の縦方向のラインを強調する意匠要素としての機能を効果的に果たすことができる。
【００６８】
また、複数のリブ１２１〜１２５（２２１〜２２５）は、本体部１１０（２１０）における正面壁部１１１（２１１）に一体形成されているので、一つの部材として取り扱いしやすい。
さらに、本体部１１０（２１０）は、正面壁部１１１（２１１）の幅方向両側端部から外壁面側に設けられる左右の側壁部１１３（２１３），１１４（２１４）を有するので、正面壁部１１１（２１１）と、この正面壁部１１１（２１１）に一体形成された複数のリブ１２１〜１２５（２２１〜２２５）を外壁面２から離間させて配置することができる。
【００６９】
また、本体部１１０（２１０）は、外壁面２と正面壁部１１１（２１１）との間に位置する背面壁部１１２（２１２）をさらに有し、断面視において矩形筒状に形成されているので、例えば中実に形成された縦材に比して軽量化を図ることができ、一つの部材として取り扱いしやすい。
【００７０】
また、本体部１１０（２１０）における各壁部１１１〜１１４（２１１〜２１４）の厚み寸法と、複数のリブ１２１〜１２５（２２１〜２２５）における長さ方向及び突出方向に直交する厚み方向の寸法との寸法比が、略１：１になるように設定されているので、縦材１０Ａ〜１０Ｅを押出成形によって製造する場合に、材料が、複数のリブ１２１〜１２５（２２１〜２２５）の先端まで行き渡りやすくなり、縦材１０Ａ〜１０Ｅが製造しやすくなる。
長さ方向に連続する同一断面となるように形成された長尺物である縦材１０Ａ〜１０Ｅを、アルミ等の金属や樹脂のような材料を押出成形すると製造しやすいが、例えば縦方向のラインを強調するための形状（複数のリブ１２１〜１２５・２２１〜２２５）が、縦材１０Ａ〜１０Ｅの本体部分と比較して複雑すぎたり、不均等な厚み寸法に設定されていたりすると、材料が成形型内に行き渡りにくく、製造しにくい場合がある、という課題を適切に解決することができる。
【００７１】
また、複数のリブ１２１〜１２５（２２１〜２２５）の突出寸法は、複数の溝１３１〜１３４（２３１〜２３４）における開口部１３１ａ〜１３４ａ（２３１ａ〜２３４ａ）の開口幅寸法よりも長く設定されているので、縦材１０Ａ〜１０Ｅに太陽光が当たった場合に、相対的に突出寸法が長い複数のリブ１２１〜１２５（２２１〜２２５）によって遮られ、太陽光が、複数の溝１３１〜１３４（２３１〜２３４）の内部に届きにくくなる。すなわち、例えば複数のリブ１２１〜１２５（２２１〜２２５）の突出寸法が、複数の溝１３１〜１３４（２３１〜２３４）における開口部１３１ａ〜１３４ａ（２３１ａ〜２３４ａ）の開口幅寸法よりも短い場合に比して、複数の溝１３１〜１３４（２３１〜２３４）の内部は暗くなりやすいので、縦材１０Ａ〜１０Ｅの正面部分は、縦材１０Ａ〜１０Ｅを見た人にとって明暗が分かりやすい状態になる。
【００７２】
また、複数の溝１３１〜１３４（２３１〜２３４）における溝底部の幅寸法が、開口部１３１ａ〜１３４ａ（２３１ａ〜２３４ａ）の開口幅寸法よりも長く設定されているため、開口部１３１ａ〜１３４ａ（２３１ａ〜２３４ａ）の開口幅寸法が狭い分、太陽光が届きにくくなり、複数の溝１３１〜１３４（２３１〜２３４）における溝底部の幅寸法が広い分、影を映し出す面積が広くなるので、複数の溝１３１〜１３４（２３１〜２３４）の内部は暗くなりやすくなり、縦材１０Ａ〜１０Ｅの正面部分は、縦材１０Ａを見た人にとって明暗が分かりやすい状態になる。
【００７３】
また、複数のリブ１２１〜１２５（２２１〜２２５）は、それぞれのリブ１２１〜１２５（２２１〜２２５）の突出方向先端部に一体形成され、突出方向と直交する幅方向に延在する見付壁部１２１ａ〜１２５ａ（２２１ａ〜２２５ａ）を有しているので、複数のリブ１２１〜１２５（２２１〜２２５）の突出方向先端が幅広に形成されることになる。これにより、複数のリブ１２１〜１２５（２２１〜２２５）の突出方向先端面に太陽光が当たる面積が広くなるので、複数のリブ１２１〜１２５（２２１〜２２５）の突出方向先端面は明るく強調され、複数の溝１３１〜１３４（２３１〜２３４）の内部には影ができやすくなる。
さらに、開口部１３１ａ〜１３４ａ（２３１ａ〜２３４ａ）の開口幅寸法は、見付壁部１２１ａ〜１２５ａ（２２１ａ〜２２５ａ）の幅寸法よりも長く設定されているので、溝１３１〜１３４（２３１〜２３４）の内部に映し出された影を、見付壁部１２１ａ〜１２５ａ（２２１ａ〜２２５ａ）よりも幅広な開口部１３１ａ〜１３４ａ（２３１ａ〜２３４ａ）から見えやすくすることができる。
そのため、縦材１０Ａ〜１０Ｅの正面部分は、縦材１０Ａ〜１０Ｅを見た人にとって明暗が分かりやすい状態になる。
【００７４】
また、複数のリブ１２１〜１２５（２２１〜２２５）の突出寸法は、見付壁部１２１ａ〜１２５ａ（２２１ａ〜２２５ａ）の幅寸法よりも長く設定されているので、縦材１０Ａ〜１０Ｅに太陽光が当たった場合に、相対的に突出寸法が長い複数のリブ１２１〜１２５（２２１〜２２５）によって遮られ、太陽光が、複数の溝１３１〜１３４（２３１〜２３４）の内部に届きにくくなる。また、見付壁部１２１ａ〜１２５ａ（２２１ａ〜２２５ａ）も、その幅寸法が、複数のリブ１２１〜１２５（２２１〜２２５）の突出寸法より短いものの、複数の溝１３１〜１３４（２３１〜２３４）の内部に影をできやすくするため、相乗的に、複数の溝１３１〜１３４（２３１〜２３４）の内部は暗くなりやすくなり、縦材１０Ａ〜１０Ｅの正面部分は、縦材１０Ａ〜１０Ｅを見た人にとって明暗が分かりやすい状態になる。
【００７５】
また、表面に、艶消し用の凹凸（凹部１４０、凸部１４１）が形成されているので、縦材１０Ａ〜１０Ｅの外側面が過度に太陽光を反射しなくなり、縦材１０Ａ〜１０Ｅ全体に対する視認性を向上させることができる。そのため、縦材１０Ａ〜１０Ｅの正面部分に目を向けやすくなるので、却って、縦材１０Ａ〜１０Ｅの正面部分が目立つことになり、外壁面２の縦方向のラインを強調する意匠要素としての機能を効果的に果たすことができる。
さらに、縦材１０Ａ〜１０Ｅの表面に艶消し用の凹凸（凹部１４０、凸部１４１）が形成されることで、縦材１０Ａ〜１０Ｅを見た人に対して、高級感のある落ち着いた印象を与えることができるので好ましい。
【００７６】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
また、以下では、縦材１０Ａ〜１０Ｅにおける第一部位１００を例に挙げて説明するが、第二部位２００に適宜置き換えてもよい。
【００７７】
〔変形例１〕
上記の実施形態においては、複数のリブ１２１〜１２５が、それぞれのリブ１２１〜１２５の突出方向先端部に一体形成され、突出方向と直交する幅方向に延在する見付壁部１２１ａ〜１２５ａを有するものとなっているが、本変形例における複数のリブ１２１〜１２５は、見付壁部１２１ａ〜１２５ａを有しない構成となっている。
【００７８】
見付壁部１２１ａ〜１２５ａを有しない複数のリブ１２１〜１２５の第１の例としては、例えば、複数のリブ１２１〜１２５の突出方向先端部に、幅方向に延出する部位がない状態が挙げられる。
この場合、複数の溝１３１〜１３４における溝底部の幅寸法と、開口部１３１ａ〜１３４ａの開口幅寸法とが等しくなる。複数のリブ１２１〜１２５がこのように構成されていれば、構造がシンプル化するため、製造上の問題が生じにくい。
【００７９】
見付壁部１２１ａ〜１２５ａを有しない複数のリブ１２１〜１２５の第２の例としては、例えば、複数のリブ１２１〜１２５が、突出方向先端部に向かうにつれて徐々に厚み寸法が厚くなるように形成される状態が挙げられる。
この場合、複数の溝１３１〜１３４における溝底部の幅寸法は、開口部１３１ａ〜１３４ａの開口幅寸法よりも長く設定される。また、複数の溝１３１〜１３４における溝壁部が、溝底部からリブ１２１〜１２５の突出方向先端部にかけて傾斜するか、湾曲するようにして形成される。
【００８０】
〔変形例２〕
上記の実施形態においては、縦材１０Ａ〜１０Ｅが、建物１の外壁２に取り付けられる外壁材Ｗを構成する材料とは異なる材料によって構成されているが、本変形例における縦材１０Ａ〜１０Ｅは、外壁材Ｗと同質の材料によって構成され、外壁材Ｗと同様の厚み寸法に設定されている。
このような縦材１０Ａ〜１０Ｅによれば、外壁材Ｗと一体化して見えるようになるので、外壁材Ｗとの統一感が生じる利点がある。
【００８１】
〔変形例３〕
上記の実施形態においては、本体部１１０が、断面視において矩形筒状に形成されているが、本変形例における本体部１１０は、断面視において略コ字状又はハット型に形成されている。
本体部１１０が断面視において略コ字状に形成されている場合は、本体部１１０を、ブラケット１２（図５参照）のようなハット型部材や、柱状体に対して被せるようにして取り付けることができる。
また、本体部１１０が断面視においてハット型に形成されている場合は、本体部１１０を、外壁面２に直接取り付けることができる。
すなわち、本体部１１０の形状次第で、縦材１０Ａ〜１０Ｅの取付部位の選択肢を増やすことができるので、汎用性に優れる。
【符号の説明】
【００８２】
１  建物
２  外壁（外壁面）
１０Ａ〜１０Ｅ  縦材
１００  第一部位
２００  第二部位
１１０，２１０  本体部
１１１，２１１  正面壁部
１１２，２１２  背面壁部
１１３，２１３  左側壁部
１１４，２１４  右側壁部
１２１，２２１  リブ
１２１ａ，２２１ａ  見付壁部
１２２，２２２  リブ
１２２ａ，２２２ａ  見付壁部
１２３，２２３  リブ
１２３ａ，２２３ａ  見付壁部
１２４，２２４  リブ
１２４ａ，２２４ａ  見付壁部
１２５，２２５  リブ
１２５ａ，２２５ａ  見付壁部
１３１，２３１  溝
１３１ａ，２３１ａ  開口部
１３２，２３２  溝
１３２ａ，２３２ａ  開口部
１３３，２３３  溝
１３３ａ，２３３ａ  開口部
１３４，２３４  溝
１３４ａ，２３４ａ  開口部
【図１】
2019183474.tif 000003
【図２】
2019183474.tif 000004
【図３】
2019183474.tif 000005
【図４】
2019183474.tif 000006
【図５】
2019183474.tif 000007
【図６】
2019183474.tif 000008
【図７】
2019183474.tif 000009
【図８】
2019183474.tif 000010
【図９】
2019183474.tif 000011
【図１０】
2019183474.tif 000012